(57)【要約】【課題】ロック装置の解錠を行うキャップが取り付けられたまま、人が安全柵内に立ち入ることを確実に防止することができる安全柵を提供する。【解決手段】解除操作部１２に取り外し可能なキャップ１０が設けられ、キャップ１０を操作して解錠が可能なロック装置８Ａにて出入口３を開閉する開閉扉４をロック可能な安全柵１において、開閉扉４Ａのフレーム５に開閉可能に支持されるドア部６には、開閉扉４Ａが閉じた状態においてキャップ１０の周囲に配置され、解除操作部１２にキャップ１０が取り付けられたままドア部６が開けられるとキャップ１０に引っかかるフック１１Ａが設けられている。【選択図】図２
2010156104.tif 000002
【特許請求の範囲】
【請求項１】
解除操作部に取り外し可能なキャップが設けられ、前記キャップを操作して解錠が可能なロック装置にて出入口を開閉する開閉扉をロック可能な安全柵において、
前記開閉扉のフレーム又は前記フレームに開閉可能に支持されるドア部のいずれか一方には、前記開閉扉が閉じた状態において前記キャップの周囲に配置され、前記解除操作部に前記キャップが取り付けられたまま前記ドア部が開けられると前記キャップに引っかかるフックが設けられていることを特徴とする安全柵。
【請求項２】
前記キャップは、前記フックが引っかかると落下するように前記解除操作部に取り付けられていることを特徴とする請求項１に記載の安全柵。
【請求項３】
前記開閉扉は、前記ドア部が前記フレームにヒンジで支持された開き戸であることを特徴とする請求項１又は２に記載の安全柵。
【請求項４】
前記開閉扉は、前記ドア部が前記フレームにスライド可能に支持された引き戸であることを特徴とする請求項１又は２に記載の安全柵。
【発明の詳細な説明】
【技術分野】
【０００１】
本発明は、インターロック装置にて出入口を開閉する開閉扉をロック可能な安全柵に関する。
【背景技術】
【０００２】
稼働中の装置に人が近付けないようにその装置の周囲に設けられる安全柵が知られている。このような安全柵には、メンテナンス時などに人が装置の周囲に立ち入ることが可能なように出入口が設けられ、その出入口にはインターロック装置でロックすることが可能な開閉扉が設けられている。このようなインターロック装置として、例えば、取り外し可能な持込みキーにより開閉扉のロックとロックの解除とを行い、開閉扉がロックされた状態では、持込みキーが取り外し不可、かつ、安全柵内の装置の起動が可能になり、開閉扉のロックが解除された状態では、持込みキーが取り外し可、かつ、安全柵内の装置の起動が不可となるインターロック装置が知られている（特許文献１参照）。また、取り外し可能なキャップ状のプラグにて開閉扉のロックを制御可能な安全装置が知られている（例えば、特許文献２参照）。その他、本発明に関連する先行技術文献として特許文献３が存在する。
【０００３】
【特許文献１】特許第３６６８８５０号公報
【特許文献２】特許第３３２６５４２号公報
【特許文献３】特開平１１−２６４２６９号公報
【発明の開示】
【発明が解決しようとする課題】
【０００４】
特許文献１の装置のようなロック装置は、持込みキーが装置本体に有るか否かで安全柵内に人が入っているか否かを判断可能なように安全柵内に人が入る場合はその人がロック装置の持込みキーを取り外してから安全柵内に入るようにルールを定めて使用されることがある。特許文献１の装置では、持込みキーにて開閉扉のロックを解除した後は、その持込みキーをロック装置本体に差したままで開閉扉を開閉できてしまう。そのため、ロック装置本体に持込みキーを取り付けたまま人が安全柵内に入ってしまう場合がある。
【０００５】
そこで、本発明は、ロック装置の解錠を行うキャップが取り付けられたまま、人が安全柵内に立ち入ることを確実に防止することができる安全柵を提供することを目的とする。
【課題を解決するための手段】
【０００６】
本発明の安全柵は、解除操作部（１２）に取り外し可能なキャップ（１０）が設けられ、前記キャップを操作して解錠が可能なロック装置（８Ａ、８Ｂ）にて出入口（３）を開閉する開閉扉（４Ａ、４Ｂ）をロック可能な安全柵において、前記開閉扉のフレーム（５）又は前記フレームに開閉可能に支持されるドア部（６）のいずれか一方には、前記開閉扉が閉じた状態において前記キャップの周囲に配置され、前記解除操作部に前記キャップが取り付けられたまま前記ドア部が開けられると前記キャップに引っかかるフック（１１Ａ、１１Ｂ）が設けられている。
【０００７】
この安全柵によれば、キャップが取り付けられたままドア部が開けられるとフックがキャップに引っかかるので、ドア部を開いた者にキャップが取り外されていないことを確実に気づかせることができる。このため、キャップが解除操作部に取り付けられたまま、人が安全柵内に立ち入ることを確実に防止することができる。また、このようにキャップが取り付けられたまま安全柵内に人が入ることが防止されるので、キャップが取り付けられているか否かで安全柵内に人がいるか否かを判断することができる。
【０００８】
この安全柵の一態様において、前記キャップは、前記フックが引っかかると落下するように前記解除操作部に取り付けられていてもよい。この場合、確実にキャップの取り外しもれを防止できる。
【０００９】
本発明の安全柵に設けられる開閉扉としては、例えば、前記開閉扉は、前記ドア部が前記フレームにヒンジ（７）で支持された開き戸であってもよいし、前記開閉扉は、前記ドア部が前記フレームにスライド可能に支持された引き戸であってもよい。
【００１０】
なお、以上の説明では本発明の理解を容易にするために添付図面の参照符号を括弧書きにて付記したが、それにより本発明が図示の形態に限定されるものではない。
【発明の効果】
【００１１】
以上説明したように、本発明によれば、キャップが取り付けられたままドア部が開けられるとフックがキャップに引っかかるので、ドア部を開いた者にキャップが取り外されていないことを確実に気づかせることができる。このため、ロック装置の解錠を行うキャップが取り付けられたまま、人が安全柵内に立ち入ることを確実に防止することができる。
【発明を実施するための最良の形態】
【００１２】
（第１の形態）
図１は本発明の第１の形態に係る安全柵１Ａが周囲に設けられた機械装置２を示している。安全柵１Ａは、稼働している機械装置２の周囲に人が立ち入ることを禁止するために設けられている。安全柵１Ａには内部に人が出入りするための出入口３が設けられており、その出入口３には、開閉可能な開閉扉４Ａが設けられている。開閉扉４Ａは、フレーム５にドア部６がヒンジ７で前後に開閉可能に支持された開き戸として構成されている。また、出入口３には開閉扉４Ａを閉じた状態にロックするためのロック装置８Ａが取り付けられている。
【００１３】
図２及び図３はロック装置８Ａの拡大斜視図である。図２に示すように、ロック装置８Ａは、装置本体９と、キャップ１０と、フック１１Ａと、を備えている。なお、図２は装置本体９にキャップ１０が取り付けられた状態を、図３は装置本体９からキャップ１０が取り外された状態を、それぞれ示している。装置本体９は、フレーム５のヒンジ７が取り付けられている側の反対側、つまり、フレーム５の開閉される側に取り付けられている。図３に示すように、装置本体９には開閉扉４Ａをロックするロック状態とそのロックを解除して開閉扉４Ａを解錠する解錠状態との切り替えを操作する解除操作部１２が設けられている。ロック装置８Ａは、解錠状態では安全柵１Ａ内の機械装置２を起動不可能とし、ロック状態では機械装置２を起動可能とするように構成されている。つまり、ロック装置８Ａが解錠状態で出入口３から安全柵１Ａ内に人の出入りが行える状態では機械装置２の稼働ができず、ロック装置８Ａがロック状態で安全柵１Ａ内に人の出入りが出来ない状態では機械装置２の稼働が可能となるように構成されている。解除操作部１２の上部には凸部１３が設けられている。
【００１４】
キャップ１０は、解除操作部１２に着脱が可能であり、解除操作部１２を操作するキーとして機能する。キャップ１０は、解除操作部１２に装着された状態で、右に回されるとロック装置８Ａがロック状態となり、左に回されるとロック装置８Ａが解錠状態となる。キャップ１０には、解除操作部１２に装着した場合に上部となる部分に解除操作部１２の凸部１３と係合する案内通路１４と、案内通路１４の先端から延びる係合溝１５とが設けられている。案内通路１４は凸部１３が解除操作部１２への着脱の妨げとならないようにキャップ１０が解除操作部１２に着脱される方向に延びている。また、係合溝１５はロック装置８Ａをロック状態にする操作の妨げとならないように案内通路１４の先端からキャップ１０の回転方向でキャップ１０がロック装置８Ａをロック状態にする方向に延びている。このため、凸部１３が係合溝１５に位置する状態、つまり、ロック装置８Ａがロック状態の場合には凸部１３が係合溝１５に引っかかり、キャップ１０の着脱方向への移動が阻止される。これにより、ロック装置８Ａがロック状態の場合にはキャップ１０の着脱方向への移動が阻止されるので、キャップ１０は解除操作部１２から取り外し不可となる。一方、ロック装置８Ａが解錠状態の場合には解除操作部１２の凸部１３は案内通路１４に位置し、着脱の妨げにならないので、キャップ１０は解除操作部１２から取り外し可能となる。また、キャップ１０にはキャップ１０を操作しやすくするためのノブ１６が設けられている。
【００１５】
フック１１Ａは、ドア部６に設けられており、その位置は装置本体９と対応している。フック１１Ａは、ドア部６の開閉動作にともなってドア部６と一体的に移動する。図４は、ロック装置８Ａの要部の断面模式図である。図４に示すように、フック１１Ａには、ドア部６が閉じられた状態において解除操作部１２の位置と一致する位置に孔１７Ａが設けられており、この孔１７Ａの径Ｄ１は解除操作部１２の径Ｄｓより大きい。このため、ドア部６が閉じられた状態では解除操作部１２が孔１７Ａを通りぬけ解除操作部１２の周りにフック１１Ａが配置される。また、フック１１Ａの孔１７Ａの径Ｄ１はキャップ１０の径Ｄｃより小さく形成されている。このため、キャップ１０が解除操作部１２に装着されている状態ではフック１１Ａがキャップ１０に引っかかりドア部６を閉じることができない。つまり、フック１１Ａは、ドア部６がロックされる際には、解除操作部１２に装着されたキャップと装置本体９との間に必ず介在し、キャップ１０の周囲に配置されるように構成されている。
【００１６】
この形態によれば、ドア部６がロックされる際には必ずキャップ１０の周囲にフック１１Ａが配置される。また、フック１１Ａの孔１７Ａの径Ｄ１はキャップ１０の径Ｄｃより小さいので、キャップ１０が解除操作部１２に装着された状態でドア部６が開けられるとフック１１Ａもドア部６とともに移動しようとし、キャップ１０に引っかかる。これにより、ドア部６を開けようとした人にキャップ１０が取り外されていないことを確実に気づかせることができるので、キャップ１０が取り付けられたまま人が安全柵１内に立ち入ることを確実に防止することができる。このため、キャップ１０の取り外し忘れによって安全柵１Ａ内に人がいる状態にもかかわらず機械装置２の起動がされることを防止することができる。
【００１７】
また、ロック装置８Ａがロック状態でありキャップ１０が取り外し不可となっている場合、つまり、安全柵１Ａ内に人の出入りが出来ない状態ではフック１１Ａがキャップ１０に引っかかりドア部６を開くことができない。一方、ロック装置８Ａが解錠状態でありキャップ１０が取り外し可能な状態、つまり、安全柵１Ａ内に人の出入りが可能な状態では、キャップ１０が引っかかった状態でさらにドア部６を開く動作がされるとフック１１Ａの移動にともなってキャップ１０が解除操作部１２から取り外され、落下する。このため、キャップ１０が解除操作部１２に装着されたままドア部６が開かれることがない。従って、キャップ１０の装着状態により安全柵１Ａ内に人がいるか否かを判断することができる。
【００１８】
尚、上記本発明の第１の形態では、フック１１Ａに設けられた孔１７Ａの径Ｄ１がキャップ１０の径Ｄｃより小さく形成されているが、このような構成に限定されるものではない。フック１１Ａに設けられた孔の径がキャップ１０の径より大きくても、ドア部６を開く動作にともなって解除操作部１２に取り付けられたキャップ１０にフック１１Ａが引っかかる構成であればよい。例えば、ドア部６が開かれる動作でフック１１Ａがキャップ１０の側面に引っかかる構成であっても、キャップ１０に設けられたノブ１６に引っかかる構成であってもよい。
【００１９】
（第２の形態）
次に、本発明の第２の形態に係る安全柵について図５〜図７を参照して説明する。以下では、第１の形態と共通の構成には図５〜図７に同一符号を付して説明を省略する。図５は、本発明の第２の形態に係る安全柵１Ｂが周囲に設けられた機械装置２を示している。図５に示すように、第２の形態の出入口３に設けられた開閉扉４Ｂは、ドア部６がフレーム５に図５の矢印Ｏ方向及び矢印Ｃ方向にスライド可能に支持された引き戸として構成されている。
【００２０】
図６及び図７は本発明の第２の形態に係る安全柵１Ｂのロック装置８Ｂの拡大図である。尚、図６はキャップ１０が取り外された状態を、図７はキャップ１０が取り付けられた状態を、それぞれ示している。図６に示すように、フック１１Ｂは、ドア部６の開閉動作を妨げることがないように、開閉扉４Ｂが閉じられた状態において解除操作部１２から一定の距離Ｌ１を保つように取り付けられている。このため、キャップ１０が解除操作部１２から取り外されている状態ではドア部６の開閉が可能である。フック１１Ｂはドア部６から開閉方向と直交する方向に一定の距離Ｌ１延びた後、開閉方向に延びるＬ字状に形成されている。
【００２１】
フック１１Ｂの孔１７Ｂの径Ｄ２はキャップ１０の径Ｄｃよりやや大きめに形成されており、図７に示したように開閉扉４Ｂが閉じられた状態において孔１７Ｂを通してキャップ１０が解除操作部１２に装着されるように構成されている。キャップ１０の解除操作部１２に対して取り付けを行う方向の長さＬ２は、装置本体９とフック１１Ｂとの間の距離Ｌ１よりも長い。このため、図７に示すように、開閉扉４Ｂが閉じられて解除操作部１２にキャップ１０が装着された状態では、フック１１Ｂに対してキャップ１０の一部が突出している。
【００２２】
この形態によれば、開閉扉４Ｂが閉じられた状態で孔１７Ｂを通してキャップ１０が解除操作部１２に装着された状態では、フック１１Ｂに対してキャップ１０の一部が突出している。このため、解除操作部１２にキャップ１０が装着された状態でドア部６を開く動作がされるとフック１１Ｂがキャップ１０に引っかかり、ドア部６を開くことができない。これにより、キャップ１０の取り外しもれを確実に気づかせることができるので、キャップ１０が解除操作部１２に装着されたまま安全柵１内に人が入ることを確実に防止することができる。
【００２３】
但し、本発明は上述の形態に限定されず、本発明の要旨の範囲内で種々の形態にて実施できる。上記各形態では、出入口３のフレーム５に装置本体９が、ドア部６にフック１１Ａ、１１Ｂが設けられているが、このような構成に限定されるものではない。例えば、フレームにフックが、ドア部に装置本体が設けられる構成であってもよい。
【図面の簡単な説明】
【００２４】
【図１】本発明の第１の形態に係る安全柵が周囲に設けられた機械装置を示す図。
【図２】本発明の第１の形態に係るロック装置のキャップが取り付けられた状態における拡大斜視図。
【図３】本発明の第１の形態に係るロック装置のキャップが取り外された状態における拡大斜視図。
【図４】本発明の第１の形態に係るロック装置の要部の断面模式図。
【図５】本発明の第２の形態に係る安全柵が周囲に設けられた機械装置を示す図。
【図６】本発明の第２の形態に係るロック装置の拡大図であってキャップが取り外された状態を示す図。
【図７】本発明の第２の形態に係るロック装置の拡大図であってキャップが取り付けられた状態を示す図。
【符号の説明】
【００２５】
１Ａ、１Ｂ  安全柵
３  出入口
４Ａ、４Ｂ  開閉扉
５  フレーム
６  ドア部
８Ａ、８Ｂ  ロック装置
１０  キャップ
１１Ａ、１１Ｂ  フック
１２  解除操作部
【図１】
2010156104.tif 000003
【図２】
2010156104.tif 000004
【図３】
2010156104.tif 000005
【図４】
2010156104.tif 000006
【図５】
2010156104.tif 000007
【図６】
2010156104.tif 000008
【図７】
2010156104.tif 000009